(57)【要約】【課題】果実の収穫作業において、切り取った果実は肩掛け袋や籠などに貯め、満杯になったら運搬用籠に移す従来の作業を改善し、作業者の肉体的負担軽減と作業効率の向上のため肩掛け袋や籠に代わる果実収穫補助具を提供することを課題とする。【解決手段】本発明の果実収穫補助具は収穫する果実の近くの枝と、地面に置いた運搬用籠ａの間に、搬入口Ａと搬出口Ｃを備えた搬送チューブＢを配置し、切り取った果実を搬入口Ａに入れると果実は搬送チューブＢ内を転がり運搬用籠aに収まる。すなわち、切り取った果実は肩掛け袋や籠などに入れて携える必要がなく直接、運搬用籠aに収まるようにする。尚、搬送チューブＢの形状は、一定間隔の螺旋で構成し、搬送チューブＢの終端には果実を緩やかに運搬用籠に納める構造の搬出口Ｃを備えた。【選択図】図１
2011182686.tif 000002
【特許請求の範囲】
【請求項１】
収穫場所と運搬用籠（a）の間に、投入口（Ａ）と搬出口（Ｃ）を備えた、螺旋またはリングを一定間隔に配置した形状の搬送チューブ（Ｂ）により、切り取った果実を直接、運搬用籠（a）に納めることを特徴とする果実収穫補助具
【請求項２】
請求項1で記載の搬送チューブ（Ｂ）の中を果実が滞留せず、スムーズに通過させるための、張り具合を調節するガイド紐（７）と、調節したガイド紐（７）の張り状態の維持と開放を容易に行えるガイド紐ストッパー（３）を備え、搬送チューブ（Ｂ）を形成している螺旋状または、一定間隔に配置したリング（８）の間隔を一定以上に開かないようにするキープコード（９）を有することを特徴とする請求項１記載の果実収穫補助具
【請求項３】
請求項1で記載の搬送チューブ（Ｂ）の投入口（Ａ）であるホッパー（４）と、グリップハンドル（１）の接続は中空軸（５）とローター（６）の構成により、搬送チューブ（Ｂ）に接続されているため、搬送チューブに撚れを生じないようにしたことを特徴とする請求項１記載の果実収穫補助具
【請求項４】
請求項1で記載の搬送チューブ（Ｂ）の構造材質を硬質樹脂線など、張りのある材質を一定間隔で螺旋状に巻くことにより、引き伸ばす長さに比例して螺旋間隔は広がり、キープコード（９）で規制されるまで広がるため、果実が通過するときの減速効果は搬送チューブ（Ｂ）を引き伸ばす長さに比例して強くなる効果を特徴とする請求項１記載の果実収穫補助具
【発明の詳細な説明】
【技術分野】
【０００１】
本発明は作業者が籠を携えて収穫した果実を運搬用籠に移し替える従来の収穫作業に変わる、収穫果実を直接運搬用籠へ納めるための果実搬送に関するものである
【背景技術】
【０００２】
従来の柑橘類の収穫作業は、果樹の枝から鋏みを使って果実を切り取り、肩掛け袋や籠などに貯め、満杯になると地面に置いてある運搬用籠に移し替える作業が一般的な収穫作業として受け継がれてきた。この収穫作業は柑橘類の種類にもよるが肩掛け袋や籠などに満杯に収穫した重さは約10キログラム程になり、女性や高齢者にとっては身体への負担が大きい。
【０００３】
また、高木の果樹畑の場合、梯子や脚立に乗っての収穫作業になり、高所で重い籠を携えての作業は不安定さを増すだけでなく、体を動かす自由度も悪くなり、収穫作業の効率はその重さに比例して悪くなる。
【０００４】
また、傾斜地の果樹畑で梯子や脚立を使う場合、安定に注意が必要で、収穫果実で重くなった袋や籠を携えての高所作業は落下事故の危険性を増す。
【先行技術文献】
【特許文献】
【０００５】
【特許文献１】特開２００５−２５３４４４号公報
【特許文献２】特開２００７−６８４２１号公報
【特許文献３】特開２００８−１１８４３号公報
【発明の概要】
【発明が解決しようとする課題】
【０００６】
従来の肩掛け袋や籠などによる柑橘類の収穫作業に伴うから、身体への負担軽減と梯子や脚立を使って行う作業の安全性向上を図ることを課題とする。
【課題を解決するための手段】
【０００７】
請求項１の発明は収穫場所と運搬用籠（a）の間に、投入口（Ａ）と搬出口（Ｃ）を備えた、螺旋状または、リングを一定間隔に配置した形状の搬送チューブ（Ｂ）により、切り取った果実を直接、運搬用籠（a）に収めことを特徴とする請求項１の果実収穫補助具とした。
【０００８】
請求項２の発明は、搬送チューブ（Ｂ）の中を果実が滞留せず、スムーズに通過させるための、張り具合を調節するガイド紐（７）と、調節したガイド紐（７）の張り状態の維持と開放を容易に行えるガイド紐ストッパー（３）を設けた。
【０００９】
また、搬送チューブ（Ｂ）を形成している螺旋またはリング状のチューブ用コード（８）を一定間隔に配置した間隔が開き過ぎによる果実の落下を防ぐため、その間隔が一定以上に開かないようにするキープコード（９）を有することを特徴とする請求項１記載の果実収穫補助具とした。
【００１０】
請求項３の発明は、搬送チューブ（Ｂ）を形成している螺旋状に巻かれたチューブ用コード（８）である硬質樹脂線は、その材質の持つ反発力により、製造された状態である図３Aは拘束された状態から開放されると図３Ｂのように巻き径はキープコードの長さLが円周方向に曳かれ、その分、円周長さがプラスされるために螺旋径が大きくなり、螺旋間隔も図３のＢのように縮まる。このとき搬送チューブ（Ｂ）は螺旋の線方向に回転運動を生ずる。この回転運動を規制して伸縮させると搬送チューブ（Ｂ）は、ねじれが発生し果実が通過できなくなる。このため、投入口（Ａ）であるホッパー（４）と、グリップハンドル（１）の接続を中空軸（５）を中心にローター（６）が回転できる構造とすることにより、グリップハンドル（１）を持って搬送チューブ（Ｂ）を伸縮させたとき、ホッパー（４）以下の搬送チューブ（Ｂ）は自由に回転できるために、撚れを生じないようにしたことを特徴とする請求項１記載の果実収穫補助具とした。
【００１１】
請求項４の発明は、搬送チューブ（Ｂ）の構造材質を硬質樹脂線など、張りのある材質を一定間隔で螺旋状に巻いたことにより、引き伸ばす長さに比例して螺旋間隔が広がる。その螺旋間隔を果実が乗り移りながら通過するため螺旋間隔が広くなるに従い果実の通過速度も減速効果が強くなる。
【００１２】
従って、運搬用籠（ａ）から収穫場所までの距離が長くなる、脚立など高所での収穫作業のとき特にこの減速効果が、果実の傷みを生じさせない良い効果をもたらす搬送チューブ（Ｂ）を特徴とする請求項１記載の果実収穫補助具
【発明の効果】
【００１３】
請求項１の発明によれば、従来のように切り取った果実を肩掛け袋や籠を携える必要が無く、切り取った果実は直接、搬送チューブ（Ｂ）を経て運搬用籠（ａ）に納まることにより、収穫作業による果実の累積荷重を身体で受けないため作業者への肉体的負担を少なくすることができる。
【００１４】
また、梯子や脚立による高所での収穫作業においても、果実の累積荷重を身体で受けないためを身体のバランスを崩すことも少なくなり安全性も向上する。
【００１５】
請求項２の発明によれば、搬送チューブ（Ｂ）の中を果実が滞留せず、スムーズに通過させるための、張り具合を調節するガイド紐（７）と、調節したガイド紐（７）の張り状態の維持と開放を容易に行えるガイド紐ストッパー（３）を備えたため、片手で素早く果実収穫補助具の操作を可能とした。
【００１６】
また、搬送チューブ（Ｂ）を構成しているナイロン製直径３．５ミリのチューブ用コード（８）を螺旋状に一定間隔に配置し、ポリエステルの細いコードによるキープコード（９）で螺旋を一定間隔に固定したシンプルな構成にしたことで、軽量で持ち運びを容易にした。
また、本果実収穫補助具は、収納の縮めた状態から最長に伸ばした使用状態の伸縮差が約８０倍あり、運搬用籠（a）からの広い範囲の収穫作業域をカバーでき、作業能率を向上が期待できる。
【００１７】
請求項３の発明によれば、搬送チューブ（Ｂ）の投入口（Ａ）であるホッパー（４）と、グリップハンドル（１）の接続を中空軸（５）を中心にローター（６）が回転できる構造で搬送チューブ（Ｂ）に連結しているため、作業者がグリップハンドル（１）を持って、伸縮操作をしたとき搬送チューブ（Ｂ）をスムーズに動かせるようにした。
【００１８】
請求項４の発明によれば、搬送チューブ（Ｂ）の構造材質を硬質樹脂線など、張りのある材質を一定間隔で螺旋状に巻くことにより、使用時に引き伸ばすと螺旋間隔巾は広がり、果実は、その螺旋を乗り越えながら通過するため転がり抵抗を受け、減速効果が強くなる。また、螺旋間隔巾はキープコード（９）により規制され、必要以上の減速効果の上限もキープコード（９）により決定されており、収穫果実に優しい機能となっている。
【図面の簡単な説明】
【００１９】
【図１】果実収穫補助具の部分拡大図を含む側面図
【図２】果実の落下速度を吸収する様子を表す搬出口の側面図
【図３】搬送チューブの伸縮状態の側面図
【発明を実施するための形態】
【００２０】
本発明の実施の形態について、一実施例として柑橘類のたんかんを収穫対象として、果実収穫補助具を説明する。図１は本発明の果実収穫補助具であり、図１のＡは果実を入れる投入口を示し、図１のＢは果実収穫補助具の中間部を示し、図１のＣは搬出口示している。図２は果実収穫補助具の搬出口Ｃであり、果実に対する落下衝撃軽減機能を表している。図３は搬送チューブの伸縮時の形状変化を表した図である。
【００２１】
図１に示すように、本発明に係わる果実収穫補助具は先端に搬送チューブＢを伸縮操作するためのグリップハンドル１を有し、そのグリップハンドル１には果樹の枝や作業者の胸ポケット（図示せず）などに引っ掛けるためのハンガー２と搬送チューブＢの長さを任意の位置で固定するためのコードストッパー３と収穫果実の投入口Ａであるホッパー４を有しており、そのホッパー４と、グリップハンドル１の接続は中空軸５を中心にローター６が回転できるように構成されているため、ホッパー４を含む搬送チューブＢが撚りを生じない構造とした。また、搬送チューブＢは搬送チューブＢの張り加減を調節するためのガイド紐７および、搬送チューブの間隔が一定以上に開かないなめのキープコード９で構成されている。搬送チューブＢの終端には果実を緩やかに運搬用籠に納めるための搬出口Ｃと搬送チューブＢの終端部を運搬用籠aに固定するためのスタンドbから構成されている。
【００２２】
まず、投入口Ａの構成について説明する。
グリップハンドル１には果樹の枝や作業者の胸ポケットなどに引っ掛けるためのハンガー２と搬送チューブＢの長さを任意の位置で固定するためのコードストッパー３を取り付け、
グリップハンドル１の下にローター６がセットされた中空軸５を取り付ける。ローター６とホッパー４を連結紐１０で接続し、投入口Ａを構成している。
【００２３】
上記構成によれば、グリップハンドル１を片手で目的の枝に引っ掛けられ、コードストッパー３を押し、ロックを解除しながらグリップハンドル１の中を通して上部に出ているガイド紐７を調節して素早く収穫作業に取り掛かるれる。
【００２４】
また、中空軸５にセットされたローター６により、ホッパー４以下の搬送チューブＢは自由に回転できるため、伸縮操作に対しても、撚れを生じない構造となっている。
【００２５】
次に、搬送チューブＢについて説明する。
図１に示す果実収穫補助具を構成する各部位の中で、もっとも主となる部分で、この搬送チューブＢは螺旋状であり、その螺旋を形成している構造材は、硬質樹脂線など張りのある材質で直径３．５ミリを一定間隔で螺旋状に巻き、その巻いた間隔を一定以上に開かないように保つキープコード９を螺旋の円周方向に4等分した間隔で4列に配置する。その状態は図１のＢに示す。また、螺旋に巻いた内径と螺旋間隔は、収穫対象果実である柑橘類のポンカン、タンカンがスムーズに通過するのに十分な内径１１０ミリと螺旋間隔４０ミリとした。また、内径と螺旋間隔は収穫対象の果実の大きさにより適応したサイズが望ましい。尚、チューブの構成は螺旋状の他にリング状を一定間隔に連続した構成でもよい。
【００２６】
本発明で示した実施例の硬質樹脂線など、張りのある材質で直径３．５ミリを一定間隔で螺旋状に巻いた構造は次のような変化をする。螺旋状に巻かれた硬質樹脂棒は、その材質の持つ反発力により、図３のAのように一定間隔に配して製造された搬送チューブの状態は、その製造のため固定された螺旋構造材の硬質樹脂線は、その拘束から開放されると、巻き径は反発力により、キープコード９の長さLが円周方向に曳かれ、その分プラスされた螺旋径に変わり、螺旋間隔も図３のＢのように縮まる。この状態が本発明の果実収穫補助具を収納した縮めた状態で、もっとも引き延ばした場合は図３のＡの状態になる。
【００２７】
したがって、螺旋による一定間隔に連続した構成はキープコードの長さLがプラスされた径に大きくなり、チューブを形成している総巻き数は径が大きくなった分減り、収納のコンパクト化に役立っている。
【００２８】
次に、搬出口Ｃについて説明する。
図１の搬出口Ｃは搬送チューブＢの中を通過してきた果実をＵ字形にたわむようにした衝撃吸収構造により受け止め、重力により下方へ誘導され、速度を失った果実は搬出口より搬送用籠（a）へ落下する。その状態を図２に示す。
【００２９】
衝撃吸収構造は搬送チューブＢの螺旋状終端部の１０層ほどを下側の水平方向の伸びを規制することにより、搬出口Ｃへ到達した果実は、螺旋状終端部を押すため、螺旋間隔がＵ字形に広がりながら下へ落下する。その様子を図２に（Ａ）（Ｂ）（Ｃ）の時系列で表しているように、搬送チューブＢを通過してきた果実は速度を失い、緩やかに落下させる機能を果たす。
【産業上の利用可能性】
【００３０】
搬送チューブ（Ｂ）の径とキープコード（９）のピッチを、その対象果実の大きさに最適にすることで、柑橘類の場合、小さい金柑から広範囲の柑橘類に適用できる。
【符号の説明】
【００３１】
１    グリップ
２    ハンガー
３    ガイド紐ストッパー
４    ホッパー
５    中空軸
６    ローター
７    ガイド紐
８    チューブ用コード
９    キープコード
１０  連結紐
Ａ   投入部
Ｂ  搬送チューブ
Ｃ  搬出口
ａ  運搬用籠
ｂ  スタンド
ｓ  果実
【図１】
2011182686.tif 000003
【図２】
2011182686.tif 000004
【図３】
2011182686.tif 000005
【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
収穫場所と運搬用籠（a）の間に、投入口（Ａ）と搬出口（Ｃ）を備えた、螺旋またはリングを一定間隔に配置した形状の搬送チューブ（Ｂ）に螺旋間隔を一定以上に開かないようにするキープコード（９）と果実が滞留せず、スムーズに通過させるための、張り具合を調節するガイド紐（７）を具備し、調節した前記ガイド紐（７）の張り状態の維持と開放を容易に行えるガイド紐ストッパー（３）を備えたことを特徴とする果実収穫補助具。
【請求項２】
前記搬送チューブ（Ｂ）を構成しているチューブ用コード（８）を硬質樹脂線など、張りのある材質により、前記キープコード（９）をもって一定間隔の螺旋状とすることによって、伸縮動作に比例して螺旋間隔も広狭状に変化するように構成したことを特徴とする請求項１記載の果実収穫補助具。
【請求項３】
前記投入口（Ａ）であるホッパー（４）と、グリップハンドル（１）の接続は中空軸（５）とローター（６）を備えて、連結紐（１０）により前記搬送チューブ（Ｂ）に接続した構成とし、前記グリップハンドル（１）以下の前記搬送チューブ（Ｂ）が伸縮するときに生じる旋回を妨げることなく、螺旋間隔が広狭状に変化する動作を補助する構成であることを特徴とする請求項２に記載の果実収穫補助具。
【手続補正２】
【補正対象書類名】明細書
【補正対象項目名】０００６
【補正方法】変更
【補正の内容】
【０００６】
従来の肩掛け袋や籠などによる柑橘類の収穫作業に伴う、身体への負担軽減と梯子や脚立を使って行う作業の安全性向上を図ることを課題とする。
【手続補正３】
【補正対象書類名】明細書
【補正対象項目名】０００７
【補正方法】変更
【補正の内容】
【０００７】
請求項１の発明は収穫場所と運搬用籠（a）の間に、投入口（Ａ）と搬出口（Ｃ）を備えた、螺旋またはリングを一定間隔に配置した形状の搬送チューブ（Ｂ）に螺旋間隔を一定以上に開かないようにする、キープコード（９）と、果実が滞留せず、スムーズに通過させるための、張り具合を調節するガイド紐（７）を具備し、調節したガイド紐（７）の張り状態の維持と開放を容易に行えるガイド紐ストッパー（３）を備えたことを特徴とする。
【手続補正４】
【補正対象書類名】明細書
【補正対象項目名】０００８
【補正方法】変更
【補正の内容】
【０００８】
請求項２の発明は前記搬送チューブ（Ｂ）を形成している前記チューブ用コード（８）を張りのある材質の硬質樹脂線により前記キープコード（９）をもって一定間隔の螺旋状とすることにより、前記搬送チューブ（Ｂ）の伸縮動作に比例して螺旋間隔も広狭状に変化するように構成したことを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項３の発明は前記投入口（Ａ）であるホッパー（４）と、グリップハンドル（１）の接続は中空軸（５）とローター（６）を備えて連結紐（１０）により前記搬送チューブ（Ｂ）に接続した構成としたことにより、前記グリップハンドル（１）以下の前記搬送チューブ（Ｂ）が伸縮するときに生じる旋回を妨げず、請求項２に記載の螺旋間隔が広狭状に変化する動作を補助する構成であることを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１５
【補正方法】変更
【補正の内容】
【００１５】
請求項２の発明によれば、搬送チューブ（Ｂ）を形成しているチューブ用コード（８）を張りのある材質の硬質樹脂線により、キープコード（９）をもって一定間隔の螺旋状としたことにより、搬送チューブ（Ｂ）の伸縮動作に比例して螺旋間隔も広狭状に変化するように構成したことにより、片手で素早く果実収穫補助具の操作を可能とした。
【手続補正１０】
【補正対象書類名】明細書
【補正対象項目名】００１６
【補正方法】変更
【補正の内容】
【００１６】
また、搬送チューブ（Ｂ）を構成している樹脂製のチューブ用コード（８）を螺旋状に一定間隔に配置し、細いコードによるキープコード（９）で螺旋を一定間隔に固定したシンプルな構成にしたことで、軽量で持ち運びを容易にした。
また、本果実収穫補助具は、収納の縮めた状態から最長に伸ばした使用状態の伸縮差が約８０倍あり、運搬用籠（a）からの広い範囲の収穫作業域をカバーでき、作業能率の向上が期待できる。
【手続補正１１】
【補正対象書類名】明細書
【補正対象項目名】００１７
【補正方法】変更
【補正の内容】
【００１７】
請求項２の発明によれば、搬送チューブ（Ｂ）を形成しているチューブ用コード（８）を張りのある材質の硬質樹脂線により、キープコード（９）をもって一定間隔で螺旋状としたことにより、使用時に引き伸ばすと螺旋間隔巾は広がり、果実は、その螺旋を乗り越えながら通過するため転がり抵抗を受け、減速効果が強くなる。また、螺旋間隔の巾はキープコード（９）により規制され、必要以上の減速効果の上限もキープコード（９）により決定されており、収穫果実に優しい機能となっている。
【手続補正１２】
【補正対象書類名】明細書
【補正対象項目名】００１８
【補正方法】変更
【補正の内容】
【００１８】
請求項３の発明によれば、搬送チューブ（Ｂ）の投入口（Ａ）であるホッパー（４）と、グリップハンドル（１）の接続を中空軸（５）にローター（６）を組み合わせた、ローター（６）側に連結紐（１０）により搬送チューブ（Ｂ）に接続した構成としたことにより、グリップハンドル（１）以下の搬送チューブ（Ｂ）が伸縮するときに生じる旋回を妨げることなく、螺旋間隔が広狭状に変化する動作を補助する構成であるため、作業者がグリップハンドル（１）を持って、伸縮操作をしたとき搬送チューブ（Ｂ）をスムーズに動かせるようにした。
【手続補正１３】
【補正対象書類名】明細書
【補正対象項目名】００２１
【補正方法】変更
【補正の内容】
【００２１】
図１に示すように、本発明に係わる果実収穫補助具は先端に搬送チューブＢを伸縮操作するためのグリップハンドル１を有し、そのグリップハンドル１には果樹の枝や作業者の胸ポケット（図示せず）などに引っ掛けるためのハンガー２と搬送チューブＢの長さを任意の位置で固定するためのコードストッパー３と収穫果実の投入口Ａであるホッパー４を有しており、そのホッパー４と、グリップハンドル１の接続は中空軸５を中心にローター６が回転できるように構成されているため、ホッパー４を含む搬送チューブＢが自由に旋回できる構成とした。また、前記搬送チューブＢは張り加減を調節するためのガイド紐７および、搬送チューブの間隔が一定以上に開かないなめのキープコード９で構成されている。搬送チューブＢの終端には果実を緩やかに運搬用籠に納めるための搬出口Ｃと搬送チューブＢの終端部を運搬用籠aに固定するためのスタンドbから構成されている。
【手続補正１４】
【補正対象書類名】明細書
【補正対象項目名】００２２
【補正方法】変更
【補正の内容】
【００２２】
まず、投入口Ａの構成について説明する。
グリップハンドル１には果樹の枝や作業者の胸ポケットなどに引っ掛けるためのハンガー２と搬送チューブＢの長さを任意の位置で固定するためのコードストッパー３を取り付け、
グリップハンドル１の下にローター６がセットされた中空軸５が取り付けられており、ローター６とホッパー４を連結紐１０で接続し、投入口Ａを構成している。
【手続補正１５】
【補正対象書類名】明細書
【補正対象項目名】００２４
【補正方法】変更
【補正の内容】
【００２４】
また、中空軸５にセットされたローター６により、ホッパー４以下の搬送チューブＢは自由に回転できるため、伸縮操作に対しても、順応する構成となっている。
【手続補正１６】
【補正対象書類名】明細書
【補正対象項目名】００２６
【補正方法】変更
【補正の内容】
【００２６】
本発明で示した実施例の張りのある材質の硬質樹脂線により、一定間隔で螺旋状に巻いた構造は次のような変化をする。螺旋状に巻かれた硬質樹脂線は、その材質の持つ反発力により、図３のaのように一定間隔に配して製造された搬送チューブの状態は、その製造のため固定された螺旋構造材の硬質樹脂線は、その拘束から開放されると、巻き径は反発力により、キープコード９の長さｌが円周方向に曳かれ、その分プラスされた螺旋径に変わり、螺旋間隔も図３のＢのように縮まる。この状態が本発明の果実収穫補助具を収納した縮めた状態で、もっとも引き延ばした場合は図３のＡの状態になる。
【手続補正１７】
【補正対象書類名】明細書
【補正対象項目名】００３０
【補正方法】変更
【補正の内容】
【００３０】
搬送チューブ（Ｂ）の径とキープコード（９）の間隔を、その対象果実の大きさに最適にすることで、柑橘類の場合、小さい金柑から広範囲の柑橘類に適用できる。
【手続補正書】
【提出日】平成22年12月20日(2010.12.20)
【手続補正１】
【補正対象書類名】特許請求の範囲
【補正対象項目名】請求項３
【補正方法】変更
【補正の内容】
【請求項３】
前記ガイド紐ストッパー（３）を有するグリップハンドル（１）の下に中空軸（５）を中心として回転可能なローター（６）を取り付け、前記投入口（Ａ）であるホッパー（４）と前記ローター（６）とを連結紐（１０）により接続した構成とし前記搬送チューブ（Ｂ）が伸縮するときに生じる旋回を妨げることなく、螺旋間隔が広狭状に変化する動作を補助する構成であることを特徴とする請求項２に記載の果実収穫補助具。
【手続補正２】
【補正対象書類名】明細書
【補正対象項目名】００１０
【補正方法】変更
【補正の内容】
【００１０】
請求項３の発明は前記ガイド紐ストッパー（３）を有するグリップハンドル（１）の下に中空軸（５）を中心として回転可能なローター（６）を取り付け、前記投入口（Ａ）であるホッパー（４）と前記ローター（６）とを連結紐（１０）により接続した構成とし前記搬送チューブ（Ｂ）が伸縮するときに生じる旋回を妨げず、請求項２に記載の螺旋間隔が広狭状に変化する動作を補助する構成であることを特徴とする。
【手続補正３】
【補正対象書類名】明細書
【補正対象項目名】００１８
【補正方法】変更
【補正の内容】
【００１８】
請求項３の発明によれば、ガイド紐ストッパー（３）を有するグリップハンドル（１）の下に中空軸（５）を中心として回転可能なローター（６）を取り付け、投入口（Ａ）であるホッパー（４）とローター（６）とを連結紐（１０）により接続した構成としたことにより、搬送チューブ（Ｂ）が伸縮するときに生じる旋回を妨げることなく、螺旋間隔が広狭状に変化する動作を補助する構成であるため作業者がグリップハンドル（１）を持って伸縮操作をしたとき搬送チューブ（Ｂ）をスムーズに動かせるようにした。
【手続補正４】
【補正対象書類名】図面
【補正対象項目名】図１
【補正方法】変更
【補正の内容】
【図１】
2011182686.tif 000006